(57)【要約】【課題】自然換気の多くは、ファンによる換気システムによって促進させるものがあって、尚、別途取り付け工事を必要とするものが多い。さらに健康上充分とは言えないものが多くみられる。【解決手段】この強制換気ファンチェンジ装置は、内壁に既存している円筒通気口内部の筒内に挿入するだけで、別途工事費も必要しない。さらに吸排気する換気装置内部にブラックシリカ、備長炭（マイナスイオン・遠赤外線を発する）及びゼオライト（湿度の調節を行う）を設置することにより、内部の殺菌、結露、カビの防止をしながら自然換気と共にマイナスイオン、遠赤外線を循環させる。【選択図】図１
2006023062.tif 000002
【特許請求の範囲】
【請求項１】
複数の通気口を有する建物の室内において、前記通気口の一つの内部に挿入される着脱自在な筒内に排気用の電動ファンを設けた強制排気装置と、前記通気口の他の一つ内部に挿入される着脱自在な筒内に吸気用の電動ファンを設けた強制吸気装置を配置し、吸気と排気を同時に行い室内の空気を一定の新鮮度に保つ事を特徴とする筒内挿入型の通気口内強制換気ファンチェンジ装置。
【請求項２】
特定の室内に外気を取り入れると同時に、強制吸気装置内部に設けてあるブラックシリカ、備長炭により、マイナスイオン、遠赤外線を同時に取り入れることを特徴とする請求項１記載の強制換気ファンチェンジ装置。
【請求項３】
特定の室内に外気を取り入れる際に、強制吸気装置内部及び強制排気装置内部が湿気等による、カビの繁殖、結露を防ぐ為ゼオライトを設けたことを特徴とする請求項１及び請求項２記載の強制換気ファンチェンジ装置。
【発明の詳細な説明】
【技術の分野】
【０００１】本発明は、一般的な賃貸マンション、分譲マンション（低層・中層・高層）及び新築予定分譲マンション、一戸建て住宅、新築一戸建て住宅、病院、学校、アパートの通気口を利用して効率良く外気を室内に流入させることを目的とし、さらに用途に応じて簡単にユニットを設置できる外気循環システムに関する。
【背景技術】
【０００２】従来の技術においては自然換気によるシステムが採用されているが、このシステムでは健康上において充分ではない。そこで建物内部の換気口をダクトで連結することで、換気効率を上げ、ファンを増設した換気口に交換することにより、強制的に通気の効率を上げる事を目的としたものが多い。このシステムにあっては高額な工事費を伴うものが多く、一般的なマンションや一戸建てには導入しにくいものであった。
【特許文献１】実用新案登録第３０６８０１８号  公報
【特許文献２】実用新案登録第３０１４８７４号  公報
【特許文献３】特開平９−２９６９４１号  公報
【特許文献４】特開２００４−１４４３３０号  公報
【特許文献５】特開２００２−３２７９４４号  公報
【特許文献６】特開２００２−３２３２４９号  公報
【特許文献７】特開平１１−２５７７０８号  公報
【特許文献８】特開平６−１４７５５６号  公報
【特許文献９】特開平６−６９６３６号  公報
【特許文献１０】特開平６−１４７５５６号  公報
【発明の開示】
【発明が解決しようとする課題】
【０００３】今迄のような自然換気システムにおいては、健康上においての換気は充分でなく、強制換気システムでは既存の建物に設置するには高額な工事を必要とするものが多いのでこの点に鑑み、安価な且つ健康に良い換気システムすなわちファンチェンジ装置を提供することである。
【課題を解決する為の手段】
【０００４】この通気口内強制換気ファンチェンジ装置は複数の通気口を有する建物の室内で、前記通気口の一つの内部に着脱自在な排気用の電動ファンを設けた強制排気装置を配置し前記通気口の、他の一つの内部に着脱自在な吸気用の電動ファンを設けた強制吸気装置を配置することで、吸気と排気を同時に行わせると室内の空気が循環しいつでも綺麗に保つことの出来る装置であり、ゼオライトにより装置内部が湿気等によるカビの繁殖、結露を防ぐことができ、カビの菌糸が室内に入ることを防ぐ。強制吸気装置内部に設けてあるブラックシリカ、備長炭によりマイナスイオンや遠赤外線を同時に取り入れることを効能としている。この装置にあっては特別な工事を必要としない為、一般的な賃貸マンション、分譲マンション（低層・中層・高層）及び新築予定分譲マンション、一戸建て住宅、新築一戸建て住宅、病院、学校、アパートに安価に提供できる装置として課題を解決する。
【発明の効果】
【０００５】自然換気だけでなく、ファンを使うことで換気機能を促進させると同時に、上記のブラックシリカ、備長炭で、波動エネルギー（マイナスイオン・遠赤外線）による健康効果を向上させる。特にブラックシリカにおいては、免疫機能をアップさせる修正波動を持った天然鉱石である。尚、遠赤外線は細胞を元気にさせる生育光線を放出する。
【実施例】
【０００６】以下、図面に示す実施例に従って本発明の実施態様にについて詳述する。この強制換気ファンチェンジ装置は、吸気用本体１、排気用本体２によって構成される。この１，２は誰でも簡単に着脱することが可能で、手軽に掃除をすることができ、フィルターについても簡単に交換が可能となっている。さらに吸気用本体、排気用本体にはそれぞれゼオライト５、備長炭６が設置されており、通気口１４，１９筒内の結露、カビを防ぎ殺菌効果が非常に高く、お風呂場での使用にも適応する。本発明の１番の特徴は特別な取り付け工事を必要としないところにある。本発明を使用する場所の室内換気口９を開け、その中にこの本体を設置し、家庭用電源に接続するだけですぐに使用することができる。最良の形態としては、通気口１４，１９内に電源を引いておくことで、室内１３のコンセントを使用する必要がなくなる。また、必要に応じてリモートコントローラを使い電動ファン３の強弱、オン、オフを簡単に設定できる。この装置は外気を吸気して室内１３の空気を排気することで、室内１３の空気を循環させて新鮮に保ち、ブラックシリカ７、備長炭６を吸気用装置１に設置したことで、マイナスイオン・遠赤外線を室内１３に取り入れ、健康効果を増大している。特にブラックシリカ７は修正波動を持った天然鉱石で、人間の免疫機能を向上させるので室内１３の空気が新鮮であっても吸気装置１だけを作動させることで室内１３は健康によいマイナスイオン・遠赤外線でいっぱいになる。さらにブラックシリカ７、備長炭６の設置方法については、強制吸気装置１の室内換気口９の内側にブラックシリカ７，備長炭６を貼り付ける方法、パイプ２２内部に直に置く方法や、器４の中に入れる方法、ネットに入れて強制吸気装置内１に吊す方法があり最も理想的な形態は、パイプ２２内部にブラックシリカ７、備長炭６を貼り付けることが望ましい。さらに、換気循環効率をパワーアップさせる為に電動ファン３を２基以上設置する事も可能で有る。尚、それに従ってブラックシリカ７、備長炭６を増量させマイナスイオン、遠赤外線効果を向上させる事も出来る。上記のように本発明はブラックシリカ７、備長炭６により健康効果が高い装置に仕上がっている為、一般的な賃貸マンション、分譲マンション（低層・中層・高層）及び新築予定分譲マンション、一戸建て住宅、新築一戸建て住宅、病院、学校、アパートにも使用できる仕上がりになっている。尚、一般的に安価な金額で購入でき、軽量なので誰でも手軽に取り付けることができる商品である。さらに室内１３の湿気、結露を取り除き室内洗濯物の乾燥を早める。並びに室内１３に充満するタバコの煙、ハウスダストを排出しタバコの煙の弊害による室内１３の内装壁面、家電、家具、カーテン、窓、扉の汚れの減少化、さらに気管支炎、喘息、シックハウス症候群、花粉症、鼻炎の症状を軽減し、非喫煙者をタバコの害から守り健康な生活をエンジョイできる。【０００７】以下、図１，２において３は室内１３又は室外へ空気を流動させるための電動モータで、吸気口９又は１０、排気口１０又は９を有している。このファンモータは２２により指示されている。２２の材質はスチール、塩化ビニール、強化プラスチック、硬化ゴム、木を使用し最も理想的な形態はそれぞれの材質にブラックシリカ７、備長炭６を貼り付ける又は練り込む事である。その形状は、円形、四角形、六角形などがある。強制吸気装置１に付属する吸気口９の材質はブラックシリカ７、備長炭６を貼り付ける、又はブラックシリカ７、備長炭６を練り込む物が最も理想的な形態といえる。【０００８】８はモータに大きなゴミが吸引されモータの損傷を軽減するように工夫された網で、１１は細かな埃を取るフィルターであり、それぞれ簡単に着脱可能となっている。８の素材は強化プラスチック、ナイロン、木、ゴム、ビニールが望ましい。【０００９】５は通気口内部の湿度を調節し、６は遠赤外線、殺菌効果。７はマイナスイオン、遠赤外線を発生させる為のものである。４はその器となる。この器の材質は箱形、円形、Ｖ型、三角形が望ましい。材質は強化プラスチック、スチール、アルミ、合金が望ましい。【００１０】図３は部屋を上から見た断面図である。壁１２は４片ある。通気口がそれぞれ２つ設けられている例である。この室内１３において通気口１４に強制吸気装置１、通気口１９に強制排気装置２を配置して同時に作動させるものである。この場合対向する壁１２に設ける通気口１９に強制吸気装置１、強制排気装置２を設けてある。このおのおのの装置の配置はこの通気口に限るものではない。強制吸気装置１と強制排気装置２の位置関係について、最も理想的な方法は室内の汚れた空気は、暖かく、外気の綺麗な空気は冷たいという性質を利用して吸気口１４を室内１３の上部、排気口１９を室内１３の下部へ設けることでより効率よく室内１３の換気を行うことである。
【図面の簡単な説明】
【図１】本発明の強制吸気装置である。
【図２】本発明の強制排気装置である。
【符号の説明】
【００１１】１  強制吸気装置本体
２  強制排気装置本体
３  電動ファン
４  器
５  ゼオライト
６  備長炭
７  ブラックシリカ
８  網
９  室内換気口
１０  室外換気口
１１  フィルター
１２  壁
１３  室内
１４，１５，１６，１７，１８，１９，２０，２１  通気口
２２  パイプ
【図１】
2006023062.tif 000003
【図２】
2006023062.tif 000004
【図３】
2006023062.tif 000005
【手続補正書】
【提出日】平成16年8月26日(2004.8.26)
【手続補正１】
【補正対象書類名】明細書
【補正対象項目名】全文
【補正方法】変更
【補正の内容】
【発明の詳細な説明】
【技術の分野】
【０００１】本発明は、一般的な賃貸マンション、分譲マンション（低層・中層・高層）及び新築予定分譲マンション、一戸建て住宅、新築一戸建て住宅、病院、学校、アパートの通気口を利用して効率良く外気を室内に流入させることを目的とし、さらに用途に応じて簡単にユニットを設置できる外気循環システムに関する。
【背景技術】
【０００２】従来の技術においては自然換気によるシステムが採用されているが、このシステムでは健康上において充分ではない。そこで建物内部の換気口をダクトで連結することで、換気効率を上げ、ファンを増設した換気口に交換することにより、強制的に通気の効率を上げる事を目的としたものが多い。このシステムにあっては高額な工事費を伴うものが多く、一般的なマンションや一戸建てには導入しにくいものであった。
【特許文献１】実用新案登録第３０６８０１８号  公報
【特許文献２】実用新案登録第３０１４８７４号  公報
【特許文献３】特開平９−２９６９４１号  公報
【特許文献４】特開２００４−１４４３３０号  公報
【特許文献５】特開２００２−３２７９４４号  公報
【特許文献６】特開２００２−３２３２４９号  公報
【特許文献７】特開平１１−２５７７０８号  公報
【特許文献８】特開平６−１４７５５６号  公報
【特許文献９】特開平６−６９６３６号  公報
【特許文献１０】特開平６−１４７５５６号  公報
【発明の開示】
【発明が解決しようとする課題】
【０００３】今迄のような自然換気システムにおいては、健康上においての換気は充分でなく、強制換気システムでは既存の建物に設置するには高額な工事を必要とするものが多いのでこの点に鑑み、安価な且つ健康に良い換気システムすなわちファンチェンジ装置を提供することである。
【課題を解決する為の手段】
【０００４】この通気口内強制換気ファンチェンジ装置は複数の通気口を有する建物の室内で、前記通気口の一つの内部に着脱自在な排気用の電動ファンを設けた強制排気装置を配置し前記通気口の、他の一つの内部に着脱自在な吸気用の電動ファンを設けた強制吸気装置を配置することで、吸気と排気を同時に行わせると室内の空気が循環しいつでも綺麗に保つことの出来る装置であり、ゼオライトにより装置内部が湿気等によるカビの繁殖、結露を防ぐことができ、カビの菌糸が室内に入ることを防ぐ。強制吸気装置内部に設けてあるブラックシリカ、備長炭によりマイナスイオンや遠赤外線を同時に取り入れることを効能としている。この装置にあっては特別な工事を必要としない為、一般的な賃貸マンション、分譲マンション（低層・中層・高層）及び新築予定分譲マンション、一戸建て住宅、新築一戸建て住宅、病院、学校、アパートに安価に提供できる装置として課題を解決する。
【発明の効果】
【０００５】自然換気だけでなく、ファンを使うことで換気機能を促進させると同時に、上記のブラックシリカ、備長炭で、波動エネルギー（マイナスイオン・遠赤外線）による健康効果を向上させる。特にブラックシリカにおいては、免疫機能をアップさせる修正波動を持った天然鉱石である。尚、遠赤外線は細胞を元気にさせる生育光線を放出する。
【実施例】
【０００６】以下、図面に示す実施例に従って本発明の実施態様にについて詳述する。この強制換気ファンチェンジ装置は、吸気用本体１、排気用本体２によって構成される。この吸気用本体１，排気用本体２は誰でも簡単に着脱することが可能で、手軽に掃除をすることができ、フィルター１１についても簡単に交換が可能となっている。さらに吸気用本体１、排気用本体２にはそれぞれゼオライト５、備長炭６が設置されており、通気口１４，通気口１９筒内の結露、カビを防ぎ殺菌効果が非常に高く、お風呂場での使用にも適応する。本発明の一番の特徴は特別な取り付け工事を必要としないところにある。本発明を使用する場所の室内換気口９を開け、その中にこの本体を設置し、家庭用電源に接続するだけですぐに使用することができる。最良の形態としては、通気口１４，通気口１９内に電源を引いておくことで、室内１３の壁１２に有るコンセントを使用する必要がなくなる。また、必要に応じてリモートコントローラを使い電動ファン３の強弱、オン、オフを簡単に設定できる。この装置は外気を吸気して室内１３の空気を排気することで、室内１３の空気を循環させて新鮮に保ち、ブラックシリカ７、備長炭６を吸気用装置１に設置したことで、マイナスイオン・遠赤外線を室内１３に取り入れ、健康効果を増大している。特にブラックシリカ７は修正波動を持った天然鉱石で、人間の免疫機能を向上させるので室内１３の空気が新鮮であっても吸気装置１だけを作動させることで室内１３は健康によいマイナスイオン・遠赤外線でいっぱいになる。さらにブラックシリカ７、備長炭６の設置方法については、強制吸気装置１の室内換気口９の内側にブラックシリカ７，備長炭６を貼り付ける方法、パイプ２２内部に直に置く方法や、器４の中に入れる方法、ネットに入れて強制吸気装置１内に吊す方法があり最も理想的な形態は、パイプ２２内部にブラックシリカ７、備長炭６を貼り付けることが望ましい。さらに換気循環効率をパワーアップさせる為に電動ファン３を２基以上設置する事も可能で有る。尚、それに従ってブラックシリカ７、備長炭６を増量させマイナスイオン、遠赤外線効果を向上させる事も出来る。上記のように本発明はブラックシリカ７、備長炭６により健康効果が高い装置に仕上がっている為、一般的な賃貸マンション、分譲マンション（低層・中層・高層）及び新築予定分譲マンション、一戸建て住宅、新築一戸建て住宅、病院、学校、アパートにも使用できる仕上がりになっている。尚、一般的に安価な金額で購入でき、軽量なので誰でも手軽に取り付けることができる商品である。さらに室内１３の湿気、結露を取り除き室内洗濯物の乾燥を早める。並びに室内１３に充満するタバコの煙、ハウスダストを排出しタバコの煙の弊害による室内１３の内装壁面、家電、家具、カーテン、窓、扉の汚れの減少化、さらに気管支炎、喘息、シックハウス症候群、花粉症、鼻炎の症状を軽減し、非喫煙者をタバコの害から守り健康な生活をエンジョイできる。【０００７】以下、図１，２において電動ファン３は室内１３又は室外へ空気を流動させるためのモータで、室内換気口９又は室外換気口１０を有している。この電動ファン３はパイプ２２により指示されている。パイプ２２の材質はスチール、塩化ビニール、強化プラスチック、硬化ゴム、木を使用し最も理想的な形態はそれぞれの材質にブラックシリカ７、備長炭６を貼り付ける又は練り込む事である。その形状は、円形、四角形、六角形などがある。強制吸気装置１に付属する室内換気口９の材質はブラックシリカ７、備長炭６を貼り付ける、又はブラックシリカ７、備長炭６を練り込む物が最も理想的な形態といえる。【０００８】網８は電動ファン３に大きなゴミが吸引されモータの損傷を軽減するように工夫された物で、フィルター１１は細かな埃を取るものであり、それぞれ簡単に着脱可能となっている。網８の素材は強化プラスチック、ナイロン、木、ゴム、ビニールなどが望ましい。【０００９】ゼオライト５は通気口内部の湿度を調節し、備長炭６は遠赤外線、殺菌効果。ブラックシリカ７はマイナスイオン、遠赤外線を発生させる為のものである。器４はその受け皿となる。この器４の形状は箱形、円形、Ｖ型、三角形が望ましい。材質は強化プラスチック、スチール、アルミ、合金が望ましい。【００１０】図３は部屋を上から見た断面図である。壁１２は４片ある。通気口がそれぞれ２つ設けられている例である。この室内１３において通気口１４に強制吸気装置１、通気口１９に強制排気装置２を配置して同時に作動させるものである。この場合対向する壁１２に強制吸気装置１、強制排気装置２を設けてある。このおのおのの装置の配置はこの通気口に限るものではない。強制吸気装置１と強制排気装置２の位置関係について、最も理想的な方法は室内１３の汚れた空気は暖かく、外気の綺麗な空気は冷たいという性質を利用して、吸気の為の通気口１４を壁１２の上部、排気の為の通気口１９を壁１２の下部へ設けることでより効率よく室内１３の換気を行うことである。【００１１】
【図面の簡単な説明】
【図１】本発明の強制吸気装置である。
【図２】本発明の強制排気装置である。
【図３】本発明を部屋で使用した例である。
【符号の説明】
【００１２】１  強制吸気装置本体
２  強制排気装置本体
３  電動ファン
４  器
５  ゼオライト
６  備長炭
７  ブラックシリカ
８  網
９  室内換気口
１０  室外換気口
１１  フィルター
１２  壁
１３  室内
１４，１５，１６，１７，１８，１９，２０，２１  通気口
２２  パイプ